(57)【要約】【課題】動画の撮影中にメールを作成することが可能な携帯通信端末を提供する。【解決手段】スマートフォン１００は、モニタ１０と、スマートフォン１００の筺体に配置された、モニタ１０における表示を制御する指示を受け付けるためのセンサ８と、被写体を撮影するためのカメラ５と、被写体の撮影中に、センサ８が当該指示を受け付けたことに基づいて、メールを作成するためのメール作成画面１２０をモニタ１０に表示させるための表示制御部２２０と、被写体の撮影が継続されたまま、メール作成画面１２０へのデータの入力を受け付けるための受付部２３０とを備える。【選択図】図４
2015061268.tif 000002
【特許請求の範囲】
【請求項１】
携帯通信端末であって、
モニタと、
前記携帯通信端末の筺体に配置された、前記モニタにおける表示を制御する指示を受け付けるための操作手段と、
被写体を撮影するための撮影手段と、
被写体の撮影中に、前記操作手段が前記指示を受け付けたことに基づいて、メールを作成するためのメール作成画面を前記モニタに表示させるための表示制御手段と、
被写体の撮影中に、前記メール作成画面へのデータの入力を受け付けるための受付手段とを備える、携帯通信端末。
【請求項２】
前記表示制御手段は、
撮影中の被写体の画像を表示するための撮影画面と、前記メール作成画面とのうちのいずれか一方の画面を前記モニタに表示させ、
前記操作手段が前記指示を受け付けたことに基づいて、被写体の撮影中に、前記撮影画面と前記メール作成画面とのうちのいずれか一方の画面から他方の画面に切り替えて前記モニタに表示させる、請求項１に記載の携帯通信端末。
【請求項３】
前記表示制御手段は、
撮影中の被写体の画像を表示するための撮影画面と、前記メール作成画面との両方を表示させ、
前記操作手段が前記指示を受け付けたことに基づいて、前記撮影画面と前記メール作成画面とのうちの一方の画面を拡大し、他方の画面を縮小して前記モニタに表示させる、請求項１に記載の携帯通信端末。
【請求項４】
前記表示制御手段は、
前記操作手段が前記指示を受け付けている間は、前記モニタに表示されている、前記撮影画面と前記メール作成画面とのうちの一方の画面を拡大し続け、他方の画面を縮小し続ける、請求項３に記載の携帯通信端末。
【請求項５】
前記表示制御手段は、
撮影中の被写体の画像を表示するための撮影画面と、前記メール作成画面とを重ねて表示させ、
前記操作手段が前記指示を受け付けたことに基づいて、前記撮影画面と前記メール作成画面とのうちの一方の画面の透過率を大きくし、他方の画面の透過率を小さくして前記モニタに表示させる、請求項１に記載の携帯通信端末。
【発明の詳細な説明】
【技術分野】
【０００１】
この発明は、携帯通信端末の制御に関し、特に、カメラ機能とメール機能とを有する携帯通信端末の制御に関する。
【背景技術】
【０００２】
近年、カメラ機能とメール機能とを有したスマートフォンなどの携帯通信端末が普及している。当該携帯通信端末は、撮影した画像をメールに添付して他の電子機器に送信することができる。このような携帯通信端末が普及するに連れて、カメラ機能とメール機能とを連動して操作性を向上させるための技術が開発されている。
【０００３】
たとえば、特開２００４−２６０７６０号公報（特許文献１）には、「メール作成時にメール機能を終了させることなく、カメラ撮影を行うことができ、さらに、撮影した画像を作成中のメールに添付することができる携帯通信端末」が開示されている（［要約］参照）。
【先行技術文献】
【特許文献】
【０００４】
【特許文献１】特開２００４−２６０７６０号公報
【発明の概要】
【発明が解決しようとする課題】
【０００５】
特許文献１が開示している携帯通信端末は、メール機能を終了させることなくカメラ撮影を行なうのみであり、カメラ機能を終了させることなくメールを作成することができない。このため、ユーザは、動画撮影を行ないながらメールを作成することができないという問題がある。
【０００６】
この開示は上述のような問題点を解決するためになされたものであって、その目的は、動画の撮影中にメールを作成することが可能な携帯通信端末を提供することである。
【課題を解決するための手段】
【０００７】
一実施の形態に従うと、携帯通信端末は、モニタと、携帯通信端末の筺体に配置された、モニタにおける表示を制御する指示を受け付けるための操作手段と、被写体を撮影するための撮影手段と、被写体の撮影中に、操作手段が当該指示を受け付けたことに基づいて、メールを作成するためのメール作成画面をモニタに表示させるための表示制御手段と、被写体の撮影中に、メール作成画面へのデータの入力を受け付けるための受付手段とを備える。
【０００８】
ある局面において、動画の撮影中にメールを作成することが可能な携帯通信端末を提供することができる。
【０００９】
この発明の上記および他の目的、特徴、局面および利点は、添付の図面と関連して理解されるこの発明に関する次の詳細な説明から明らかとなるであろう。
【図面の簡単な説明】
【００１０】
【図１】第１の実施の形態に従うスマートフォンが撮影画面を表示している概要を示す図である。
【図２】第１の実施の形態に従うスマートフォンがメール作成画面を表示している概要を示す図である。
【図３】第１の実施の形態に従うスマートフォンのハードウェア構成の一例を示す図である。
【図４】第１の実施の形態に従うスマートフォンの機能構成を示すブロック図である。
【図５】第１の実施の形態に従うスマートフォンが実行する処理の一部を表わすフローチャートである。
【図６】第２の実施の形態に従うスマートフォンが撮影画面およびメール作成画面を表示している概要を示す図である。
【図７】第２の実施の形態に従うスマートフォンが撮影画面およびメール作成画面を表示している概要を示す図である。
【図８】第２の実施の形態に従うスマートフォンが撮影画面およびメール作成画面を表示している概要を示す図である。
【図９】第３の実施の形態に従うスマートフォンが撮影画面およびメール作成画面を重ねて表示している概要を示す図である。
【図１０】第３の実施の形態に従うスマートフォンが撮影画面およびメール作成画面を重ねて表示している概要を示す図である。
【図１１】第３の実施の形態に従うスマートフォンが撮影画面およびメール作成画面を重ねて表示している概要を示す図である。
【発明を実施するための形態】
【００１１】
以下、図面を参照しつつ、本実施の形態について説明する。以下の説明では、同一の部品および構成要素には同一の符号を付してある。それらの名称および機能も同じである。したがって、これらについての詳細な説明は繰り返さない。
【００１２】
なお、以下では、携帯通信端末の一例としてスマートフォンの詳細について説明するが、携帯通信端末は、スマートフォンに限定されるものではない。たとえば、携帯通信端末は、タブレット端末、デジタルカメラ、ゲーム機、電子辞書、パソコン、その他のカメラ機能およびメール機能を有する電子機器なども含み得る。また、以下で説明する第１〜第３の実施の形態において示す特徴的な構成は、本発明の趣旨を逸脱しない範囲で当然に相互に組み合わせが可能である。
【００１３】
［第１の実施の形態］
＜概要＞
図１および図２を参照して、第１の実施の形態に従うスマートフォン１００の概要について説明する。図１は、スマートフォン１００が撮影画面を表示している概要を示す図である。図２は、スマートフォン１００がメール作成画面を表示している概要を示す図である。
【００１４】
図１に示されるように、スマートフォン１００は、カメラ５と、センサ８と、モニタ１０とを備える。たとえば、モニタ１０は、タッチセンサと組み合わされてタッチパネルとして構成される。センサ８は、スマートフォン１００の筺体上に配置される。
【００１５】
また、スマートフォン１００は、動作モードとして、カメラモードと、メールモードとを有する。スマートフォン１００の動作モードがカメラモードである場合、スマートフォン１００は、撮影画面１１０をモニタ１０に表示させる。撮影画面１１０は、プレビュー画面１１２と、操作画面１１４とを含む。ユーザが操作画面１１４に表示されるアイコンやボタンなどにタッチすることで、スマートフォン１００はタッチされたアイコンやボタンなどに対応付けられているカメラ機能を実行する。当該カメラ機能は、たとえば、被写体の撮影機能（静止画撮影機能および／または動画撮影機能を含む）、撮影した画像の表示機能、ズームイン機能、ズームアウト機能などを含む。プレビュー画面１１２には、ユーザが撮影している被写体や、ユーザが撮影した被写体の画像が表示される。当該画像は、静止画像および動画像の少なくとも一方を含む。
【００１６】
図２に示されるように、スマートフォン１００の撮影モードがメールモードである場合には、スマートフォン１００は、メールの作成やメールの送信などのメール機能の実行を受け付けるための画面をモニタ１０に表示させる。当該画面は、たとえば、メール作成画面１２０である。ユーザは、メール作成画面１２０に文字入力などの操作を行なうことで作成中のメールを編集できる。
【００１７】
本実施の形態に従うスマートフォン１００は、被写体の撮影中に、センサ８がモニタ１０における表示を制御する指示（以下、「表示指示」という。）を受け付けたことに基づいて、メール作成画面１２０を表示させる。より具体的には、スマートフォン１００は、センサ８がモニタ１０における表示を制御する指示を受け付けたことに基づいて、被写体の撮影中に、撮影画面１１０とメール作成画面１２０とのうちのいずれか一方の画面から他方の画面に切り替える。
【００１８】
これにより、ユーザは、撮影中にメールを作成することが可能になり、撮影した静止画像や動画像を手際よくメールに添付して送信することができる。また、スマートフォン１００は、ユーザが一定の力以上でスマートフォン１００を握るという容易な操作で、撮影画面とメール作成画面とのうちのいずれか一方の画面から他方の画面に切り替えることができる。これにより、スマートフォン１００の操作性が向上する。
【００１９】
＜ハードウェア構成＞
図３を参照して、第１の実施の形態に従うスマートフォン１００のハードウェア構成について説明する。図３は、第１の実施の形態に従うスマートフォン１００のハードウェア構成の一例を示す図である。
【００２０】
図３に示されるように、スマートフォン１００は、ＲＯＭ（Read  Only  Memory）１と、ＣＰＵ（Central  Processing  Unit）２と、ＲＡＭ（Random  Access  Memory）３と、スピーカ４と、カメラ５と、ネットワークＩ／Ｆ６と、メモリカードＩ／Ｆ７と、センサ８と、センサＬＳＩ（Large  Scale  Integration）９と、モニタ１０と、マイク１１と、記憶装置２０とを備える。
【００２１】
ＲＯＭ１は、オペレーティングシステム（ＯＳ：Operating  System）、スマートフォン１００の起動時に実行される初期プログラム（ブートプログラム）などを格納する。
【００２２】
ＣＰＵ２は、ＲＯＭ１や記憶装置２０などに格納された、オペレーティングシステムやスマートフォン１００の制御プログラムなどの各種プログラムを実行することで、スマートフォン１００の動作を制御する。
【００２３】
ＲＡＭ３は、ＣＰＵ２でプログラムを実行するためのワーキングメモリとして機能し、プログラムの実行に必要な各種データを一時的に格納する。
【００２４】
スピーカ４は、スマートフォン１００の動作モードがカメラモードからメールモードに切り替わったことに基づいて音を出力する。また、スピーカ４は、スマートフォン１００の動作モードがメールモードからカメラモードに切り替わったことに基づいて音を出力する。当該音は、たとえば、音楽、音声、または、その他の電子音を含む。
【００２５】
カメラ５は、たとえば、ＣＣＤ（Charge  Coupled  Device）方式、ＣＭＯＳ（Complementary  Metal  Oxide  Semiconductor）センサなどの撮像センサ、撮像レンズ、レンズを駆動するためのレンズ駆動部などを含む。カメラ５は、レンズを介して取り込んだ被写体の像を受光面（撮像面）で光電変換する撮像センサによって画像を生成する。当該画像は、静止画像および動画像のうちの少なくとも一方を含む。また、カメラ５は、ズーム倍率を変更するためのズーム機能（すなわち、ズームイン機能および／またはズームアウト機能）および焦点距離を調整するためのフォーカス機能などを有する。
【００２６】
なお、カメラ５は、モニタ１０と同一の面に配置されてもよいし、モニタ１０と反対の面に配置されてもよい。また、スマートフォン１００は、２つのカメラ５を備えてもよい。このとき、２つのカメラ５のうちの一方のカメラがモニタ１０と同一の面に配置され、他方のカメラがモニタ１０と反対の面に配置される。
【００２７】
ネットワークＩ／Ｆ６は、アンテナ６Ａを介して、他の通信機器とデータの送受信を行なう。他の通信機器は、たとえば、スマートフォン、パソコン、サーバ装置、その他通信機能を有する電子機器などである。他の通信機器に送信可能なデータは、たとえば、メール、ファイル（画像ファイルを含む）などを含む。
【００２８】
メモリカードＩ／Ｆ７は、ＳＤ（Secure  Digital）カードやＣＦ（Compact  Flash（登録商標））カードなどのメモリカード（不揮発性記憶媒体）７Ａとの間で、データの読み書きを行なう。
【００２９】
センサ８は、スマートフォン１００の筺体上に配置される。センサ８は、モニタ１０における表示を制御する指示（すなわち、表示指示）を受け付ける。センサ８は、たとえば、圧力センサである。たとえば、ユーザがスマートフォン１００を握ると、当該圧力センサは圧力を検知する。圧力センサは、当該圧力を電気信号に変換してセンサＬＳＩ９に出力する。センサＬＳＩ９は、当該電気信号に基づいて圧力値をＣＰＵ２に出力する。
【００３０】
なお、センサ８は、ボタン、タッチセンサ、または、接触を検知できるその他のセンサであってもよい。このとき、センサ８は、ユーザの接触を検知したことで表示指示を受け付ける。また、センサ８は、近接センサ、または、ユーザがスマートフォン１００から予め定められた距離内に近接したことを検知できるその他のセンサであってもよい。このとき、センサ８は、ユーザの近接を検知したことで表示指示を受け付ける。
【００３１】
モニタ１０は、タッチセンサ（図示しない）と組み合わされてタッチパネルとして構成される。当該タッチパネルを実現するための方式としては、静電容量式、感圧式、またはその他の方式が用いられる。当該タッチパネルは、モニタ１０により表示されたアイコンなどのオブジェクトの選択を受け付ける。スマートフォン１００は、ユーザによりオブジェクトが選択されると、当該オブジェクトに関連付けられている機能を実行する。たとえば、ユーザがモニタ１０に表示されるカメラアイコンを選択した場合には、スマートフォン１００はカメラ機能を実行するためのカメラアプリケーションを起動する。また、ユーザがモニタ１０に表示されるメールアイコンを選択した場合には、スマートフォン１００はメール機能を実行するためのメールアプリケーションを起動する。
【００３２】
マイク１１は、スマートフォン１００が被写体を録画している間に音を集音する。マイク１１は、集めた音を電気信号に変換しＣＰＵ２に出力する。スマートフォン１００は、当該電気信号を音声データに変換して記憶装置２０に格納する。
【００３３】
記憶装置２０は、たとえば、ｅＭＭＣ（Embedded  MultiMediaCard）などの記憶媒体を含む。ｅＭＭＣは、ＮＡＮＤフラッシュメモリと、制御回路とを含む。記憶装置２０は、本実施の形態に従う各種の処理を実現するためのプログラム、カメラ機能を実行するためのカメラアプリケーション、および、メール機能を実行するためのメールアプリケーションなどを格納する。また、記憶装置２０は、オペレーティングシステムなどのプログラムを格納していてもよい。
【００３４】
＜機能構成＞
図４を参照して、スマートフォン１００の機能構成の一例について説明する。図４は、スマートフォン１００の機能構成を示すブロック図である。
【００３５】
スマートフォン１００は、ＣＰＵ２と、カメラ５と、センサ８と、モニタ１０と、受付部２３０とを備える。ＣＰＵ２は、表示制御部２２０を含む。カメラ５、センサ８、およびモニタ１０については上述の通りであるので詳細な説明を繰り返さない。
【００３６】
スマートフォン１００の動作モードが撮影モードである場合に、ユーザがカメラ機能を選択するための操作画面から動画撮影アイコンを選択すると、スマートフォン１００は、動画の撮影を実行させるための制御信号をカメラ５に出力する。カメラ５は、当該制御信号に基づいて動画の撮影を開始する。
【００３７】
表示制御部２２０は、被写体の撮影中に、センサ８が表示指示を受け付けたことに基づいて、メールを作成するためのメール作成画面１２０をモニタ１０に表示させる。センサ８は、たとえば、圧力センサである。このとき、表示制御部２２０は、当該圧力センサが予め定められた圧力よりも大きい圧力を検知したことに基づいて、撮影中の被写体の画像を表示するための撮影画面１１０と、メール作成画面１２０とのうちのいずれか一方の画面をモニタ１０に表示させる。たとえば、表示制御部２２０は、スマートフォン１００の動作モードが撮影モードである場合には撮影画面１１０をモニタ１０に表示させる。また、表示制御部２２０は、スマートフォン１００の動作モードがメールモードである場合にはメール作成画面１２０をモニタ１０に表示させる。
【００３８】
表示制御部２２０は、センサ８が表示指示を受け付けたことに基づいて、撮影画面１１０とメール作成画面１２０とのうちのいずれか一方の画面から他方の画面に切り替えてモニタ１０に表示させる。このとき、表示制御部２２０は、カメラ機能およびメール機能を終了させることなく画面の切り替えを行なう。
【００３９】
たとえば、ユーザが動画を撮影している間に、センサ８が表示指示を受け付けたことに基づいて、表示制御部２２０はメール作成画面１２０をモニタ１０に表示させる。典型的には、表示制御部２２０は、撮影画面１１０からメール作成画面１２０に切り替えてモニタ１０に表示させる。このとき、受付部２３０は、被写体の撮影中に、メール作成画面１２０へのデータの入力を受け付ける。つまり、ユーザは、動画撮影およびメール作成を並行して行なう事が可能になる。スマートフォン１００は、被写体を撮影することにより得た動画をメールに添付して、他のスマートフォンなどの電子機器に送信する。
【００４０】
＜制御構造＞
図５を参照して、第１の実施の形態に従うスマートフォン１００の処理のフローについて説明する。図５は、スマートフォン１００が実行する処理の一部を表わすフローチャートである。図５の処理は、ＣＰＵ２がプログラムを実行することにより実現される。他の局面において、処理の一部又は全部が、回路素子その他のハードウェアによって実行されてもよい。なお、以下では、モニタ１０に表示されている、ユーザが視認できる画面を「表画面」、表画面に隠れてユーザが視認できない画面を「裏画面」という。また、以下では、センサ８が圧力センサである例を挙げて説明する。
【００４１】
ステップＳ５００において、ＣＰＵ２は、表示制御部２２０として、ユーザがメールアプリケーションを起動したことに基づいてメール作成画面１２０をモニタ１０に表示させる。モニタ１０は、表画面としてメール作成画面を表示する。このとき、モニタ１０は、裏画面としては何も表示しない。
【００４２】
ステップＳ５１０において、ＣＰＵ２は、センサ８の出力に基づいて、予め定められた圧力よりも大きい圧力が検知されたか否かを判断する。ＣＰＵ２は、予め定められた圧力よりも大きい圧力が検知されたと判断すると（ステップＳ５１０においてＹＥＳ）、制御をステップＳ５１２に切り替える。そうでない場合には（ステップＳ５１０においてＮＯ）、ＣＰＵ２はステップＳ５１０の処理を再び実行する。また、ＣＰＵ２がステップＳ５１０の処理を繰り返して実行している間、モニタ１０は、表画面としてメール作成画面を表示する。このとき、モニタ１０は、裏画面として何も表示しない。
【００４３】
ステップＳ５１２において、ＣＰＵ２は、表示制御部２２０として、撮影画面１１０をモニタ１０に表示させる。典型的には、ＣＰＵ２は、メール作成画面１２０から撮影画面１１０に表示を切り替える。このとき、ＣＰＵ２は、メール機能を実行させたまま撮影画面１１０をモニタ１０に表示させる。モニタ１０は、表画面として撮影画面、裏画面としてメール作成画面を表示する。
【００４４】
ステップＳ５１４において、ＣＰＵ２は、録画を開始する。典型的には、ＣＰＵ２は、ユーザが操作画面１１４に表示された録画アイコンを選択したことに基づいて録画機能を開始する。モニタ１０は、表画面として撮影画面、裏画面としてメール作成画面を表示する。
【００４５】
ステップＳ５２０において、ＣＰＵ２は、センサ８の出力に基づいて、予め定められた圧力よりも大きい圧力が検知されたか否かを判断する。ＣＰＵ２は、予め定められた圧力よりも大きい圧力が検知されたと判断すると（ステップＳ５２０においてＹＥＳ）、制御をステップＳ５２２に切り替える。そうでない場合には（ステップＳ５２０においてＮＯ）、ＣＰＵ２は制御をステップＳ５２０の処理を再び実行する。また、ＣＰＵ２がステップＳ５２０の処理を繰り返して実行している間、モニタ１０は、表画面として撮影画面、裏画面としてメール作成画面を表示する。このとき、録画は継続される。
【００４６】
ステップＳ５２２において、ＣＰＵ２は、表示制御部２２０として、メール作成画面１２０をモニタ１０に表示させる。典型的には、ＣＰＵ２は、撮影画面１１０からメール作成画面１２０に表示を切り替える。このとき、ＣＰＵ２は、カメラ機能（たとえば、録画機能）を実行させたままメール作成画面１２０をモニタ１０に表示させる。モニタ１０は、表画面としてメール作成画面、裏画面として撮影画面を表示する。このとき、録画は継続される。
【００４７】
ステップＳ５３０において、ＣＰＵ２は、センサ８の出力に基づいて、予め定められた圧力よりも大きい圧力が検知されたか否かを判断する。ＣＰＵ２は、予め定められた圧力よりも大きい圧力が検知されたと判断すると（ステップＳ５３０においてＹＥＳ）、制御をステップＳ５３２に切り替える。そうでない場合には（ステップＳ５３０においてＮＯ）、ＣＰＵ２は制御をステップＳ５３０の処理を再び実行する。また、ＣＰＵ２がステップＳ５３０の処理を繰り返して実行している間、モニタ１０は、表画面としてメール作成画面、裏画面として撮影画面を表示する。このとき、録画は継続される。
【００４８】
ステップＳ５３２において、ＣＰＵ２は、録画機能を終了させる。典型的には、ＣＰＵ２は、ユーザが操作画面１１４に表示された録画停止アイコンを選択したことに基づいて録画を終了する。モニタ１０は、表画面として撮影画面、裏画面としてメール作成画面を表示する。
【００４９】
ステップＳ５４０において、ＣＰＵ２は、センサ８の出力に基づいて、予め定められた圧力よりも大きい圧力が検知されたか否かを判断する。ＣＰＵ２は、予め定められた圧力よりも大きい圧力が検知されたと判断すると（ステップＳ５４０においてＹＥＳ）、制御をステップＳ５４２に切り替える。そうでない場合には（ステップＳ５４０においてＮＯ）、ＣＰＵ２は制御をステップＳ５４０の処理を再び実行する。また、ＣＰＵ２がステップＳ５４０の処理を繰り返して実行している間、モニタ１０は、表画面として撮影画面、裏画面としてメール作成画面を表示する。
【００５０】
ステップＳ５４２において、ＣＰＵ２は、被写体を撮影することで得られた動画をメールに添付して他のスマートフォンに送信する。モニタ１０は、表画面としてメール作成画面、裏画面として撮影画面を表示する。
【００５１】
なお、ＣＰＵ２は、ステップＳ５４０を必ずしも実行しなくてもよい。たとえば、ＣＰＵ２は、録画機能の終了（ステップＳ５３２）に基づいて、ステップＳ５３２からステップＳ５４２に制御を切り替える。つまり、ＣＰＵ２は、カメラ機能の終了に基づいて、撮影画面１１０からメール作成画面１２０に表示を切り替える。
【００５２】
＜利点＞
本実施の形態に従うスマートフォン１００によれば、ユーザは、動画や静止画の撮影を継続させたままメールの作成を行なうことが可能になる。これにより、ユーザは、動画や静止画を手際良くメールに添付して他のスマートフォンなどに送信することが可能になる。また、ユーザが一定の力以上でスマートフォン１００を握るだけで撮影機能とメール機能とを切り替えることができるのでスマートフォン１００の操作性が向上する。
【００５３】
［第２の実施の形態］
＜概要＞
以下、第２の実施の形態に従うスマートフォン１００Ａについて説明する。本実施の形態に従うスマートフォン１００Ａは、撮影画面およびメール作成画面の表示の方法において第１の実施の形態に従うスマートフォン１００と異なる。その他の点については、第１の実施の形態に従うスマートフォン１００と同様であるので説明を繰り返さない。
【００５４】
図６〜図８を参照して、第２の実施の形態に従うスマートフォン１００Ａの概要について説明する。図６〜図８は、それぞれ、スマートフォン１００Ａが撮影画面およびメール作成画面を表示している概要を示す図である。なお、以下では、センサ８が圧力センサである例を挙げて説明を行なうが、センサ８は圧力センサに限定されない。
【００５５】
スマートフォン１００Ａは、撮影画面およびメール作成画面の両方をモニタに表示させる。典型的には、スマートフォン１００Ａは、撮影画面およびメール作成画面を重ねずに表示する。スマートフォン１００Ａは、センサ８がモニタ１０における表示を制御する指示（すなわち、表示指示）を受け付たことに基づいて、撮影画面とメール作成画面のうちのいずれか一方の画面を拡大し、他方の画面を縮小して表示する。
【００５６】
より具体的には、図６に示されるように、スマートフォン１００Ａは、撮影画面７００とメール作成画面７３０との両方をモニタ１０に表示させる。撮影画面７００は、プレビュー画面７１０と、操作画面７２０とを含む。
【００５７】
図７に示されるように、センサ８が予め定められた圧力よりも大きい圧力を検知したことに基づいて、表示制御部２２０は、撮影画面７００を撮影画面７０１に拡大してモニタ１０に表示させる。同時に、表示制御部２２０は、メール作成画面７３０をメール作成画面７３１に縮小してモニタ１０に表示させる。
【００５８】
図８に示されるように、ユーザが、再度、一定の力以上でスマートフォン１００Ａを握ると、表示制御部２２０は、撮影画面７０１を撮影画面７０２に拡大してモニタ１０に表示させる。同時に、表示制御部２２０は、メール作成画面７３１を表示しないようにする。
【００５９】
このように、スマートフォン１００Ａは、ユーザが一定の力以上でスマートフォン１００Ａを握る度に、撮影画面とメール作成画面のうちのいずれか一方の画面を段階的に拡大してモニタ１０に表示させる。同時に、スマートフォン１００Ａ、他方の画面を段階的に縮小してモニタ１０に表示させる。
【００６０】
また、ユーザが一定の力以上でスマートフォン１００Ａを握る回数が予め定められた回数を越えた場合は、表示制御部２２０は、撮影画面７００とメール作成画面７３０とのうちの段階的に拡大して表示した一方の画面を縮小して表示させる。同時に、表示制御部２２０は、段階的に縮小して表示した他方の画面を拡大してモニタ１０に表示させる。
【００６１】
ある局面において、表示制御部２２０は、センサ８が表示指示を受け付けている間は、モニタ１０に表示されている、撮影画面７００とメール作成画面７３０とのうちの一方の画面を拡大し続け、他方の画面を縮小し続ける。
【００６２】
たとえば、表示制御部２２０は、予め定められた圧力よりも大きい圧力がセンサ８に与えられている間は、撮影画面とメール作成画面とのうちの一方の画面を拡大し続けてモニタ１０に表示させる。同時に、表示制御部２２０は、他方の画面を縮小し続けてモニタ１０に表示させる。表示制御部２２０は、センサ８に与えられる圧力が予め定められた圧力よりも小さくなると、撮影画面およびメール作成画面のサイズの変更（拡大処理または縮小処理）を停止する。表示制御部２２０は、再度、予め定められた圧力よりも大きい圧力がセンサ８に与え続けられると、拡大し続けた一方の画面を縮小し続けてモニタ１０に表示させる。同時に、表示制御部２２０は、縮小し続けた他方の画面を拡大し続けてモニタ１０に表示させる。
【００６３】
＜利点＞
以上のようにして、本実施の形態に従うスマートフォン１００Ａは、撮影画面とメール作成画面との両方をモニタに表示させる。これにより、ユーザは、撮影画面とメール作成画面との両方の画面を同時に確認することができる。また、ユーザは、撮影されている被写体の画像を確認しながらメールを作成することができる。さらに、ユーザは、一定の力以上でスマートフォン１００を握るだけで撮影画面のサイズとメール作成画面のサイズとをユーザの必要に応じて変更することが可能になる。
【００６４】
［第３の実施の形態］
＜概要＞
以下、第３の実施の形態に従うスマートフォン１００Ｂについて説明する。本実施の形態に従うスマートフォン１００Ｂは、撮影画面およびメール作成画面の表示の方法において第１の実施の形態に従うスマートフォン１００と異なる。その他の点については、第１の実施の形態に従うスマートフォン１００と同様であるので説明を繰り返さない。なお、以下では、センサ８が圧力センサである例を挙げて説明を行なうが、センサ８は圧力センサに限定されない。
【００６５】
本実施の形態に従うスマートフォン１００Ｂは、撮影画面とメール作成画面とを重ねてモニタ１０に表示させる。スマートフォン１００Ｂは、センサ８がモニタ１０における表示を制御する指示（すなわち、表示指示）を受け付けたことに基づいて、撮影画面とメール作成画面のうちのいずれか一方の透過率を大きくする。同時に、スマートフォン１００Ｂは、他方の画面の透過率を小さくする。これにより、ユーザは、撮影画面とメール作成画面とを同時に視認することが可能になる。
【００６６】
より具体的には、スマートフォン１００は、画面の透過率に基づいて撮影画面とメール作成画面とを合成してモニタ１０に表示させる。たとえば、スマートフォン１００Ｂは、撮影画面の各画素値に撮影画面の透過率を掛けた値を当該画素値から引いて出力した画面と、メール作成画面の各画素値にメール作成画面の透過率を掛けた値を当該画素値から引いて出力した画面とを足し合わせることで、撮影画面とメール作成画面とを合成する。なお、撮影画面の透過率とメール作成画面の透過率とは足し合わせると１００％となる。
【００６７】
図９〜図１１を参照して、第３の実施の形態に従うスマートフォン１００Ｂの概要について説明する。図９〜図１１は、スマートフォン１００Ｂが撮影画面およびメール作成画面を重ねて表示している概要を示す図である。
【００６８】
図９に示されるように、表示制御部２２０は、メール作成画面９３０をモニタ１０に表示させる。センサ８が予め定められた圧力よりも大きい圧力を検知したことに基づいて、表示制御部２２０は、メール作成画面９３０の透過率を上げる。同時に、表示制御部２２０は、撮影画面（図９には示されていない）の透過率を下げる。これにより、図１０に示されるように、メール作成画面９３０および撮影画面（操作画面９２１とプレビュー画面９１１とを含む画面）は共に半透明で重なって表示される。このため、ユーザは、当該撮影画面を視認できるようになる。
【００６９】
さらに、ユーザが一定の力以上でスマートフォン１００Ｂを握ると、表示制御部２２０はメール作成画面９３０の透過率を上げる。同時に、表示制御部２２０は、撮影画面（操作画面９２１とプレビュー画面９１１とを含む画面）の透過率を下げる。これにより、図１１に示されるように、表示制御部２２０は、メール作成画面を透明（透過率＝１００）で表示する。つまり、表示制御部２２０は、メール作成画面をモニタ１０に表示させずに、撮影画面９０３のみをモニタ１０に表示させる。
【００７０】
このように、スマートフォン１００Ｂは、ユーザが一定の力以上でスマートフォン１００Ｂを握る度に、撮影画面とメール作成画面とのうちのいずれか一方の画面の透過率を段階的に大きくしてモニタ１０に表示させる。同時に、スマートフォン１００Ｂは、他方の画面の透過率を段階的に小さくしてモニタ１０に表示させる。
【００７１】
また、ユーザが一定の力以上でスマートフォン１００Ｂを握る回数が予め定められた回数を越えた場合には、表示制御部２２０は、撮影画面とメール作成画面とのうちの透過率を上げた一方の画面の透過率を段階的に下げる。同時に、表示制御部２２０は、透過率を下げた他方の画面の透過率を段階的に上げる。
【００７２】
ある局面において、表示制御部２２０は、センサ８が表示指示を受け付けている間は、撮影画面７００とメール作成画面７３０とのうちの一方の画面の透過率を上げ続け、他方の画面の透過率を下げ続ける。
【００７３】
たとえば、表示制御部２２０は、予め定められた圧力よりも大きい圧力がセンサ８に与えられている間は、撮影画面とメール作成画面とのうちの一方の画面の透過率を上げ続けてモニタ１０に表示させる。同時に、表示制御部２２０は、他方の画面の透過率を下げ続けてモニタ１０に表示させる。表示制御部２２０は、センサ８に与えられる圧力が予め定められた圧力よりも小さくなると、撮影画面の透過率の変更およびメール作成画面の透過率の変更を停止する。表示制御部２２０は、予め定められた圧力よりも大きい圧力がセンサ８に再度与え続けられると、透過率を上げた一方の画面の透過率を下げる。同時に、表示制御部２２０は、透過率を下げた他方の画面の透過率を上げる。
【００７４】
＜利点＞
以上のようにして、本実施の形態に従うスマートフォン１００Ｂは、撮影画面とメール作成画面とを半透明の状態で重ねてモニタに表示させる。これにより、ユーザは、撮影画面とメール作成画面との両方の画面を同時に確認することができる。また、撮影画面とメール作成画面との両方の画面をモニタの表示領域に目一杯表示することができる。さらに、各種カメラ機能（たとえば、動画の撮影機能）を実行しながらメールを作成することが可能になる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７６】
１  ＲＯＭ、２  ＣＰＵ、３  ＲＡＭ、４  スピーカ、５  カメラ、６  ネットワークＩ／Ｆ、６Ａ  アンテナ、７  メモリカードＩ／Ｆ、８  センサ、９  センサＬＳＩ、１０  モニタ、１１  マイク、２０  記憶装置、１００，１００Ａ，１００Ｂ  スマートフォン、１１０，７００，７０１，７０２，９０３  撮影画面、１１２，７１０，７２０，７１２，９１１  プレビュー画面、１１４，７２０，７２１，７２２，９２１  操作画面、１２０，７３０，７３１，９３０，９３１  メール作成画面、２２０  表示制御部、２３０  受付部。
【図１】
2015061268.tif 000003
【図２】
2015061268.tif 000004
【図３】
2015061268.tif 000005
【図４】
2015061268.tif 000006
【図５】
2015061268.tif 000007
【図６】
2015061268.tif 000008
【図７】
2015061268.tif 000009
【図８】
2015061268.tif 000010
【図９】
2015061268.tif 000011
【図１１】
2015061268.tif 000012
【図１０】
2015061268.tif 000013